(57)【特許請求の範囲】
【請求項１】
液体を流入させる流入ポートと、該流入ポートより下側に設けられた液体を流出させる流出ポートとを有する槽状の液体リザーバにおいて、流入ポートから流入された液体を表面上を流れさせて下方に導く傾斜面部と、流入ポートの液体流入位置より下側の前記傾斜面部に、複数が横方向に間にスリットを形成するよう間隔をあけて配設されたフィンと、前記各スリットの真下位置に、前記各スリットの下側から下方に前記傾斜面部に沿って延在する案内凸部をそれぞれ具備することを特徴とする液体リザーバ。
【請求項２】
前記傾斜面部の外側の下部に熱交換器を連結させるための連結部が設けられていることを特徴とする請求項１記載の液体リザーバ。
【発明の詳細な説明】
【０００１】
【発明の属する技術分野】
本発明は、血液等の体液あるいは薬液等の液体を貯留する医療用の液体リザーバに関する。
【０００２】
【従来の技術】
外科手術の際等に患者に代わって血液を循環させたりあるいは追加の血液を患者に送り込んだり薬液を患者に送り込んだりする回路に血液あるいは薬液を貯留する目的で液体リザーバが設けられている。
このような液体リザーバとしては、例えば、図４に示す構成のものがある。この液体リザーバは、血液等の体液あるいは薬液等の液体を流入させる流入ポート５１が上部に設けられ、液体を流出させる流出ポート５２が下部に設けられた槽状のもので、下部に熱交換を行なうための配管５３が内蔵されてなるものである。
【０００３】
【発明が解決しようとする課題】
ところで、上記従来の液体リザーバでは、流入ポート５１から流入された液体は、底面あるいは溜まった液体に直接落下することになるため、特に空の状態からの導入初期や追加量が多い時における導入初期等、流入ポート５１から落下位置までの落差が大きい状態においては、衝撃が大きく、該液体に空気が多く巻き込まれてしまうという問題があった。
【０００４】
したがって、本発明の目的は、流入ポートからの落差が大きい状態においても、液体に空気が多く巻き込まれてしまうことを防止することができる液体リザーバを提供することである。
【０００５】
【課題を解決するための手段】
上記目的を達成するため、本発明の請求項１記載の液体リザーバは、液体を流入させる流入ポートと、該流入ポートより下側に設けられた液体を流出させる流出ポートとを有する槽状の液体リザーバにおいて、流入ポートから流入された液体を表面上を流れさせて下方に導く傾斜面部と、流入ポートの液体流入位置より下側の前記傾斜面部に、複数が横方向に間にスリットを形成するよう間隔をあけて配設されたフィンと、前記各スリットの真下位置に、前記各スリットの下側から下方に前記傾斜面部に沿って延在する案内凸部をそれぞれ具備することを特徴とする。
【０００７】
さらに、本発明の請求項２記載の液体リザーバは、請求項１記載のものに関して、前記傾斜面部の外側の下部に熱交換器を連結させるための連結部が設けられていることを特徴としている。
【０００８】
【発明の実施の形態】
本発明の一の実施の形態を図１〜図３を参照して以下に説明する。なお、以下において上下等の方向はすべて設置時の状態をもって説明する。
図中符号１１で示すものが、この実施の形態の液体リザーバである。
この液体リザーバ１１は、略長方形状をなすとともに長手方向が鉛直方向に沿わされる面部１２と、この面部１２の幅方向における各端縁部に該面部１２に略垂直をなすよう設けられるとともに下部側に至るにしたがって幅が漸次縮長する形状の側面部１３，１４と、これら側面部１３，１４の面部１２に対し反対側の端縁部同士を結ぶことにより、下部側に至るにしたがって面部１２に近接するよう傾斜する傾斜面部１５とを有する上部開口型のリザーバケース１６と、該リザーバケース１６の上部に嵌合されて該上部の開口を覆うヘッドキャップ１７とを有している。
【０００９】
傾斜面部１５は、さらに詳しくは、上端に位置しほぼ鉛直に沿う分面部１５ａと、その直下に位置してヘッドキャップ１７の内面と面一とされるほぼ鉛直に沿う分面部１５ｂと、その直下に位置して鉛直に対する鋭角側の角度が大きい水平に近い角度とされた分面部１５ｃと、その直下に位置して鉛直に対する鋭角側の角度が分面部１５ｃより小さい角度とされた分面部１５ｄと、その直下に位置して鉛直に対する鋭角側の角度が分面部１５ｄより大きい角度とされた分面部１５ｅと、その直下に位置して鉛直に対する鋭角側の角度が分面部１５ｅより大幅に小さい角度とされた分面部１５ｆと、その直下に位置して鉛直に対する鋭角側の角度が分面部１５ｆより大きい角度とされた分面部１５ｇと、その直下に位置して鉛直に対する鋭角側の角度が分面部１５ｇより小さい角度とされた分面部１５ｈと、その直下に位置して鉛直に対する鋭角側の角度が分面部１５ｈより大きい角度とされた分面部１５ｉと、その直下に位置して鉛直に対する鋭角側の角度が分面部１５ｉより小さい角度とされた分面部１５ｊと、その直下に位置して鉛直に対する鋭角側の角度が分面部１５ｊより大きい角度とされた分面部１５ｋとを有している。なお、分面部１５ａ〜１５ｋの隣り合うもの同士の境界部分は滑らかに湾曲された形状とされている。
【００１０】
そして、ヘッドキャップ１７の傾斜面部１５との嵌合部分の近傍には、外側が水平方向に沿い、内側が鉛直下方に向くよう屈曲された形状の流入ポート１９が設けられており、この流入ポート１９の内側開口部は分面部１５ｂと分面部１５ｃとの間を結ぶ湾曲部１５ｍの鉛直上方に位置している。
また、リザーバケース１６の傾斜面部１５と面部１２とが連結される下端部には、鉛直方向に沿って外方に延出する流出ポート２０が設けられている。
ここで、ヘッドキャップ１７には、流入ポート１９以外にもポート３０，３１が設けられており、これらポート３０，３１の直下には、これらポート３０，３１から落下する位置に頂部が配置された山型の突起部３２が設けられている。
【００１１】
加えて、流入ポート１９の液体流入位置より下側となる分面部１５ｅには、側面部１３，１４間を結ぶ水平方向に沿って、複数具体的には１２個の板状のフィン２２，２２，…が、隣り合うものとの間にスリット２３を形成するように間隔をあけて配置され立設されている。
さらに、各スリット２３，２３，…の傾斜面部１５に沿っての真下位置には、傾斜面部１５に対し立設される板状の案内凸部２４，２４，…が、それぞれ傾斜面部１５に沿って下方具体的には分面部１５ｊまで、レール状に延在形成されている。
【００１２】
また、傾斜面部１５の下部側の分面部１５ｇの外側には、熱交換器２６を連結させるための連結部２７が設けられており、該連結部２７には、ジョイントバー２８を介して熱交換器２６が取り付けられている。ここで、この熱交換器２６は、流出ポート２０と図示せぬ管体で連結されており、流出ポート２０から流出された液体を熱交換して温度を一定に保持する。
【００１３】
このような構成の液体リザーバ１１によれば、流入ポート１９から流入された血液等の体液あるいは薬液等の液体は、その内側開口部から分面部１５ｂと分面部１５ｃとの間を結ぶ湾曲部１５ｍに落下し、この湾曲部１５ｍで案内されることにより落下時の衝撃が和らげられて、この時点での空気の巻き込みが防止され、続いて、図３に二点鎖線矢印で示すように、フィン２２，２２，…間に設けられた複数のスリット２３，２３，…に分散され、しかも傾斜面部１５に導かれるとともにスリット２３，２３，…の真下に設けられたレール状の案内凸部２４，２４，…に案内されながら落下して溜められることになる。このため、液体に生じる乱れを飛躍的に低減でき、結果的に、液体を層流のまま流下させることができる。したがって、空気の巻き込みを飛躍的に少なくすることができる。このように、流入ポート１９から落下位置までの落差が大きい状態においても、液体に空気が多く巻き込まれてしまうことを効果的に防止することができる。
なお、ポート３０，３１から流入される液体も、その直下に設けられた突起部３２の傾斜面に案内されることにより落下時の衝撃が和らげられて、この時点での空気の巻き込みが防止されることになり、その後、上記と同様にスリット２３，２３，…に分散される等して流下される。
【００１４】
加えて、傾斜面部１５の外側の下部すなわち傾斜面部１５の傾斜により上部側より凹む部分に連結部２７を設けこの連結部２７によりジョイントバー２８を介して熱交換器２６を一体に保持するため、凹み部分のスペースを有効に使って熱交換器２６を配置でき、よって、一体とされた液体リザーバ１１および熱交換器２６の全体の大きさを小さくすることができる。
【００１５】
なお、液体リザーバ１１自体の高さが低い場合等においては、案内凸部２４，２４，…を設けることなく、傾斜面部１５にスリット２３，２３，…を形成するようフィン２２，２２，…のみを配置するだけでも、液体に生じる乱れを低減でき、空気の巻き込みを少なくすることができる。
【００１６】
【発明の効果】
以上詳述したように、本発明の請求項１記載の液体リザーバによれば、流入ポートから流入された液体は、フィン間に設けられた複数のスリットに分散され、しかも傾斜面部に導かれて落下することになるため、液体に乱れを生じることがなく、よって、空気の巻き込みを少なくすることができる。したがって、流入ポートから落下位置までの落差が大きい状態においても、液体に空気が多く巻き込まれてしまうことを防止することができる。
【００１７】
また、スリットで分散された液体は、傾斜面部に導かれるとともに案内凸部に案内されながら落下することになるため、さらに液体に生じる乱れを低減でき、よって、空気の巻き込みをさらに少なくすることができる。したがって、流入ポートから落下位置までの落差が大きい状態においても、液体に空気が多く巻き込まれてしまうことをさらに効果的に防止することができる。
【００１８】
さらに、本発明の請求項２記載の液体リザーバによれば、傾斜面部の外側の下部すなわち傾斜面部の傾斜により上部側より凹む部分に連結部を設けているため、この連結部により熱交換器を一体に保持すると、一体とされた液体リザーバおよび熱交換器の全体の大きさを小さくすることができる。
【図面の簡単な説明】
【図１】本発明の一の実施の形態による液体リザーバを示す一部を断面とした側面図であって、熱交換器を連結した状態を示すものである。
【図２】本発明の一の実施の形態による液体リザーバのリザーバケースを示す斜視図である。
【図３】本発明の一の実施の形態による液体リザーバのフィンおよび案内凸部等を示すものであって、（ａ）は正面図、（ｂ）は（ａ）に示すＸ−Ｘ線に沿う断面図である。
【図４】従来の液体リザーバの一例を示す斜視図である。
【符号の説明】
１１  液体リザーバ
１５  傾斜面部
１９  流入ポート
２０  流出ポート
２２  フィン
２３  スリット
２４  案内凸部
２６  熱交換器
２７  連結部
【図１】
0003761627.tif 000002
【図２】
0003761627.tif 000003
【図３】
0003761627.tif 000004
【図４】
0003761627.tif 000005